(57)【要約】【課題】    塵付着物から塵を粘着することにより除去できる厚みの薄い（小さい）塵取り具を提供する。【解決手段】少なくとも一部が粘着面を形成する一主表面と、少なくとも一部が剥離面を形成する他主表面と、の両主表面を有する複数のシートが、互いに隣接する異なる２のシートのうち一方のシートの粘着面と他方のシートの剥離面とが密接するように重合された重合シート部を備えてなる塵取り具である。前記一方のシートの前記一主表面と、前記他方のシートの前記他主表面と、のうち少なくとも一面が、粘着面によって他面と粘着されていない非粘着面部分を有するものであってもよい。【選択図】  図１
2011147465.tif 000002
【特許請求の範囲】
【請求項１】
少なくとも一部が粘着面を形成する一主表面と、少なくとも一部が剥離面を形成する他主表面と、の両主表面を有する複数のシートが、互いに隣接する異なる２のシートのうち一方のシートの粘着面と他方のシートの剥離面とが密接するように重合された重合シート部を備えてなる塵取り具。
【請求項２】
前記一方のシートの前記一主表面と、前記他方のシートの前記他主表面と、のうち少なくとも一面が、粘着面によって他面と粘着されていない非粘着面部分を有するものである、請求項１に記載の塵取り具。
【請求項３】
前記一方のシートの前記一主表面が粘着面と非粘着面とを有し、
非粘着面が非粘着面部分を形成するものである、請求項２に記載の塵取り具。
【請求項４】
前記一方のシートが、粘着面を有するシート本体部と、シート本体部に取り付けられ非粘着面を有する別体のシート把持部と、を有してなる、請求項３に記載の塵取り具。
【請求項５】
前記一方のシートの前記一主表面によって覆われない部分を前記他方のシートの前記他主表面が有しており、
該覆われない部分が非粘着面部分を形成するものである、請求項２に記載の塵取り具。
【請求項６】
前記一方のシートが、前記一主表面の外縁に存する異なる２点を結ぶ前記一主表面に存する曲線又は直線に沿って形成された切り取り線を有し、
切り取り線に沿って前記一方のシートの部分を切り取ることにより、該切り取った部分が面していた前記他方のシートの前記他主表面の部分が、粘着面によって他面と粘着されていない非粘着面部分を形成するものである、請求項１に記載の塵取り具。
【請求項７】
前記少なくとも一面の外縁に存する異なる２点を結ぶ前記少なくとも一面を横切る線分と、該２点の間に存する該外縁の部分と、で囲まれた前記少なくとも一面の部分の全部を非粘着面部分が含むものである、請求項２乃至６のいずれか１に記載の塵取り具。
【請求項８】
前記２点の間に存する前記外縁の部分が角部を有するものである、請求項７に記載の塵取り具。
【請求項９】
重合シート部を構成する複数のシートが略同一形状かつ略同一寸法であり、    直柱体を重合シート部が略形成するものである、請求項１〜４及び６〜８のいずれか１に記載の塵取り具。
【請求項１０】
重合シート部の上面と下面のうち、粘着面を有する下面を覆う板状又はシート状の第１の表紙部材をさらに備えてなる、請求項１乃至９のいずれか１に記載の塵取り具。
【請求項１１】
重合シート部の上面と下面のうち、剥離面を有する上面を覆う、第１の表紙部材に対して回動自在な板状又はシート状の第２の表紙部材をさらに備えてなる、請求項１乃至１０のいずれか１に記載の塵取り具。
【発明の詳細な説明】
【技術分野】
【０００１】
本発明は、塵取り具に関し、より詳細には、塵が付着した塵付着物から塵を粘着することにより効果的に除去できる塵取り具に関する。
【背景技術】
【０００２】
糸屑、毛髪、動物の毛等のような塵が、衣服や絨毯等のような物に付着することがあり、このような塵が付着した衣服や絨毯等のような塵付着物から塵を除去することは難儀であることから、これを容易ならしめるための器具（塵取り具）が種々提案されてきた（例えば、特許文献１等）。
【０００３】
特許文献１には、「全体の構成をコンパクトに形成して、使用感が良く、かつ携行が至便でその上体裁の優れた携帯用ミニローラークリーナーを提供する」（特許文献１の発明の詳細な説明中、段落番号０００８）ためになされた「粘着紙を捲回積層したロール状クリーナー本体を、衣服、シートやペットなどの表面上で転動させて、ゴミ、チリなどを粘着紙の表面に付着させて除去清掃できるようにしたローラークリーナーであって、ロール状クリーナー本体を着脱自在に軸支する左右の支持板を有する断面略々半円形状の容体に対し、左右の覆部を有する断面略々半円形の蓋体を開閉自在に連結してなることを特徴とする携帯用ミニローラークリーナー」（特許文献１の発明の詳細な説明中、段落番号００１０）が開示されている。かかる特許文献１開示の携帯用ミニローラークリーナー（塵取り具）は、「既存構成や或は新規形成のロール状クリーナー本体の大きさが、小さいものを用い、そのロール状クリーナー本体の大きさより僅かに大きくしただけの容器構成で全体を形成でき、片手で把持してロール状クリーナー本体を衣服、絨緞、ペットなどの被清掃面上で有効に転動させることができ、したがってホコリ、ゴミ、毛などを付着除去できるもので、突出部分がないので最小限の、超小型に構成でき、鞄や衣服のポケットに収めて常時携行できるなど、エチケット用品として好適であると共に、その上構成が簡単であるので廉価量産に適する。」（特許文献１の発明の詳細な説明中、段落番号００３０）というものである。
【先行技術文献】
【特許文献】
【０００４】
【特許文献１】特開２００１−１２０４９０号公報（例えば、要約、発明の詳細な説明中の段落番号０００１〜００１０、００１６〜００２５、００３０、第１図〜第４図等）
【発明の概要】
【発明が解決しようとする課題】
【０００５】
確かに、特許文献１開示の携帯用ミニローラークリーナー（塵取り具）によれば、「既存構成や或は新規形成のロール状クリーナー本体の大きさが、小さいものを用い、そのロール状クリーナー本体の大きさより僅かに大きくしただけの容器構成で全体を形成でき、・・・・・・最小限の、超小型に構成」（特許文献１の発明の詳細な説明中、段落番号００３０）できるが、特許文献１開示の携帯用ミニローラークリーナー（塵取り具）は、粘着紙を捲回積層した円筒状をなすロール状クリーナー本体を要するものであるので、ロール状クリーナー本体がなす円筒の直径よりも小さく構成することはできない。加えて、ロール状クリーナー本体がなす円筒の直径は、捲回積層する粘着紙の量（長さ）や粘着面積を決定するものであるためあまり小さくすることはできない。
一方、衣服のポケットや書類入れ等に塵取り具を入れて携帯する場合は、邪魔にならないことからは、塵取り具の厚みが小さい方がよい。
しかしながら特許文献１開示の携帯用ミニローラークリーナー（塵取り具）においては、上述の如く、ある程度以上には小さくできない直径の円筒形状をなすロール状クリーナー本体を要するため、塵取り具の厚みをある程度以上小さくすることはできず、衣服のポケットや書類入れ等に塵取り具を入れ携帯することが制限されることがあった。
【０００６】
そこで、本発明では、塵付着物から塵を粘着することにより除去できる厚みの薄い（小さい）塵取り具を提供することを目的とする。
【課題を解決するための手段】
【０００７】
本発明の塵取り具（以下、「本塵取り具」という。）は、少なくとも一部が粘着面を形成する一主表面と、少なくとも一部が剥離面を形成する他主表面と、の両主表面を有する複数のシートが、互いに隣接する異なる２のシートのうち一方のシートの粘着面と他方のシートの剥離面とが密接するように重合された重合シート部を備えてなる塵取り具である。
本塵取り具は、重合シート部を備えてなる。
重合シート部は、複数のシートが重合されてなる。
重合シート部を構成する複数のシートは、いずれも一主表面と他主表面との両主表面を有する。シートの一主表面には少なくとも一部に粘着面が形成されると共に、シートの他主表面には少なくとも一部に剥離面が形成され、剥離面は粘着面と密接しても剥離面と粘着面とを引き剥がすように力を加えることで、剥離面と粘着面とは容易に剥離することができる。重合シート部においては、重合された複数のシートは、互いに隣接する（重合され密接する）異なる２のシートのうち一方のシートの粘着面と他方のシートの剥離面とが密接するように重合されることで、このようなシートが複数重合して重合シート部は形成される。
かかる本塵取り具によれば、複数のシートが重合された重合シート部からシートを一枚ずつ容易に剥離することができ、剥離されたシートの該一主表面に形成された粘着面を、塵（例えば、糸屑、毛髪、動物の毛等のような不要物）が付着した塵付着物（例えば、衣服や絨毯等）に当接させることで塵を粘着面に粘着させ効果的に除去することができる。そして、本塵取り具では、特許文献１開示の携帯用ミニローラークリーナーのように粘着紙を捲回積層（円筒状をなすロール状クリーナー本体）するものではなく、面状のシートを互いの主表面が面するように重合させ積層するため、厚みの薄い塵取り具とすることが容易にできる（例えば、シートを薄紙のように厚みの小さなものとすれば、数十枚のシートを重合積層して重合シート部を形成しても厚み１ｃｍ以内とすることもできる。）。
【０００８】
本塵取り具においては、前記一方のシートの前記一主表面と、前記他方のシートの前記他主表面と、のうち少なくとも一面が、粘着面によって他面と粘着されていない非粘着面部分を有するもの（以下、「非粘着面部分保有本塵取り具」という。）であってもよい。
重合シート部を構成する重合された複数のシートは、互いに隣接する（重合され密接する）異なる２のシートのうち一方のシートの粘着面と他方のシートの剥離面とが密接するが、剥離面は粘着面と密接しても剥離面と粘着面とを引き剥がすように力を加えることで容易に剥離することができる。しかしながら剥離面と粘着面とを引き剥がすように力を加えることは、通常、一方のシート及び他方のシートのいずれか又は両方に指をかけ両シートを互いに引き離すように力を加える必要があるが、一方のシートの前記一主表面（粘着面が形成）と他方のシートの前記他主表面（剥離面が形成）との全部が粘着面により粘着されていればシートに指を円滑にかけることができないこともある。これを防止するには、一方のシートの前記一主表面（粘着面が形成）と他方のシートの前記他主表面（剥離面が形成）とのうち少なくとも一面が、粘着面によって他面（該少なくとも一面が一方のシートの前記一主表面（粘着面が形成）の場合には他方のシートの前記他主表面（剥離面が形成）であり、該少なくとも一面が前記他主表面（剥離面が形成）の場合には一方のシートの前記一主表面（粘着面が形成）である。）と粘着されていない非粘着面部分を有するようにすれば、非粘着面部分に指を円滑にかけ、両シートを互いに引き離すように円滑に力を加えることができる。
【０００９】
非粘着面部分保有本塵取り具の場合、前記一方のシートの前記一主表面が粘着面と非粘着面とを有し、非粘着面が非粘着面部分を形成するもの（以下、「非粘着面保有本塵取り具」という。）であってもよい。
このように前記一方のシートの前記一主表面が粘着面と非粘着面部分を形成する非粘着面とを有するようにすれば、前記一方のシートの前記一主表面（粘着面が形成）と、前記他方のシートの前記他主表面（剥離面が形成）と、のうち少なくとも一面（前記一方のシートの前記一主表面（粘着面が形成））が、粘着面によって他面（前記他方のシートの前記他主表面（剥離面が形成））と粘着されていない非粘着面部分たる非粘着面を有するように容易に構成することができる。
【００１０】
非粘着面保有本塵取り具の場合、前記一方のシートが、粘着面を有するシート本体部と、シート本体部に取り付けられ非粘着面を有する別体のシート把持部と、を有してなるものであってもよい。
このように前記一方のシートが、粘着面を有するシート本体部と、シート本体部に取り付けられ非粘着面を有する別体のシート把持部と、を有するようにすることで、シート本体部は非粘着面を形成するための格別の手段を要することなく、非粘着面を有する別体のシート把持部をシート本体部に取り付けることで、確実に、前記一方のシートの前記一主表面（粘着面が形成）が粘着面と非粘着面部分を形成する非粘着面とを有するようでき、前記一方のシートの前記一主表面（粘着面が形成）と、前記他方のシートの前記他主表面（剥離面が形成）と、のうち少なくとも一面（前記一方のシートの前記一主表面（粘着面が形成））が、粘着面によって他面（前記他方のシートの前記他主表面（剥離面が形成））と粘着されていない非粘着面部分たる非粘着面を有するように構成することができる。
なお、シート把持部とシート本体部との取付は、取付が必要な強度を有し邪魔にならないものであれば様々なものが用いられてよく、何ら制限されるものではないが、例えば、接着、融着、嵌入等を例示することができる。
【００１１】
非粘着面部分保有本塵取り具の場合、前記一方のシートの前記一主表面によって覆われない部分を前記他方のシートの前記他主表面が有しており、該覆われない部分が非粘着面部分を形成するものであってもよい。
このように前記一方のシートの前記一主表面（粘着面が形成）によって覆われない部分（非粘着面部分を形成する）を前記他方のシートの前記他主表面（剥離面が形成）が有するようにすれば、前記一方のシートの前記一主表面（粘着面が形成）と、前記他方のシートの前記他主表面（剥離面が形成）と、のうち少なくとも一面（前記他方のシートの前記他主表面（剥離面が形成））が、粘着面によって他面（前記一方のシートの前記一主表面（粘着面が形成））と粘着されていない非粘着面部分たる該覆われない部分を有するように容易に構成することができる。
【００１２】
本塵取り具においては、前記一方のシートが、前記一主表面の外縁に存する異なる２点を結ぶ前記一主表面に存する曲線又は直線に沿って形成された切り取り線を有し、切り取り線に沿って前記一方のシートの部分を切り取ることにより、該切り取った部分が面していた前記他方のシートの前記他主表面の部分が、粘着面によって他面と粘着されていない非粘着面部分を形成するものであってもよい。
こうすることで前記一方のシートの前記一主表面（粘着面が形成）の外縁に存する異なる２点を結ぶ前記一主表面（粘着面が形成）に存する曲線又は直線に沿って形成された切り取り線を前記一方のシートが有し、その切り取り線に沿って前記一方のシートの部分を切り取ることにより、該切り取った部分が面していた前記他方のシートの前記他主表面（剥離面が形成）の部分が露出し、露出した前記他方のシートの前記他主表面の部分が、粘着面によって他面（前記一方のシートの前記一主表面）と粘着されていない非粘着面部分を形成するので、非粘着面部分に指を円滑にかけ、両シートを互いに引き離すように円滑に力を加えることができる。
なお、前記一主表面の外縁に存する異なる２点を結ぶ前記一主表面に存する曲線又は直線に沿って形成された切り取り線とは、強度（例えば、前記一主表面に対して垂直方向への剪断強度）が切り取り線に沿った部分が他の部分に比して小さいことをいい、例えば、該曲線又は該直線に沿ったミシン目や、該曲線又は該直線に沿ってシートの厚みが小さくされている部分を例示することができる。
【００１３】
非粘着面部分保有本塵取り具の場合、前記少なくとも一面の外縁に存する異なる２点を結ぶ前記少なくとも一面を横切る線分と、該２点の間に存する該外縁の部分と、で囲まれた前記少なくとも一面の部分の全部を非粘着面部分が含むもの（以下、「包囲領域非粘着面部分保有本塵取り具」という。）であってもよい。
重合シート部を構成する互いに隣接する異なる２のシートのうち一方のシートの前記一主表面と、他方のシートの前記他主表面とのうち、粘着面によって他面と粘着されていない非粘着面部分を有する前記少なくとも一面の外縁に存する異なる２点を結ぶ前記少なくとも一面を横切る線分と、該２点の間に存する該外縁の部分と、で囲まれた前記少なくとも一面の部分の全部を非粘着面部分が含むことによって、非粘着面部分がシートの主表面の張り出した部分（外縁に存する異なる該２点を結ぶ前記少なくとも一面を横切る線分に対し、該２点の間に存する該外縁の部分の方向に張り出している。）に形成されるので、張り出した部分の非粘着面部分に容易に指をかけ両シートを互いに引き離すことを一層円滑に行うことができる。
【００１４】
包囲領域非粘着面部分保有本塵取り具の場合、前記２点の間に存する前記外縁の部分が角部を有するものであってもよい。
重合シート部を構成する互いに隣接する異なる２のシートのうち一方のシートの前記一主表面と、他方のシートの前記他主表面とのうち、粘着面によって他面と粘着されていない非粘着面部分を有する前記少なくとも一面の外縁に存する異なる２点を結ぶ前記少なくとも一面を横切る線分と、該２点の間に存する該外縁の部分と、で囲まれた前記少なくとも一面の部分の全部を非粘着面部分が含むことによって、非粘着面部分がシートの主表面の張り出した部分に形成され、さらに該２点の間に存する該外縁の部分が角部を有することによって、非粘着面部分が存する角部に指をかけやすくなり、両シートを互いに引き離すことをうまく行うことができる。
【００１５】
本塵取り具においては、重合シート部を構成する複数のシートが略同一形状かつ略同一寸法であり、直柱体を重合シート部が略形成するものであってもよい。
こうすることで複数枚の同じシートによって重合シート部を構成することができ、これらの同じシートを丁度重なるように重合させれば略直柱体形状の重合シート部を略形成することができる。直柱体（とりわけ高さが比較的小さい直柱体）は、衣服のポケットや書類入れ等に入れて携帯するのに邪魔になりにくく適した形状であり、さらに重合シート部からシートを一枚ずつ剥離して使用する際にも直柱体の高さが小さくなるだけで底面形状は変化しないことから、取り扱いが容易であり体裁もよい状態が保たれる。
【００１６】
本塵取り具においては、重合シート部の上面と下面のうち、粘着面を有する下面を覆う板状又はシート状の第１の表紙部材をさらに備えてなるもの（以下、「第１表紙部材保有本塵取り具」という。）であってもよい。
重合シート部は、少なくとも一部が粘着面を形成する一主表面と、少なくとも一部が剥離面を形成する他主表面と、の両主表面を有する複数のシートが、互いに隣接する異なる２のシートの粘着面と剥離面とが密接するように重合し積層されることで構成されるので、重合シート部はそれを構成するシートの粘着面が露出した面（下面）を有する。かかる粘着面が露出した面（下面）は、不要な場合にも他の物を粘着することで本塵取り具の使用を難しくしたり、不要な物を粘着することで粘着面の粘着力が減少するという問題を生じ得ることから、かかる問題を防止するため、重合シート部の粘着面を有する下面を覆う板状又はシート状の第１の表紙部材を備えるようにしてもよい。なお、第１の表紙部材は、粘着面を有する下面を覆う板状又はシート状のものであれば何ら制限されるものではなく、さらに粘着面を有する下面に密接するもののみならず、粘着面を有する下面とは離れた状態で粘着面を有する下面を覆うようなものであってもよい。
【００１７】
第１表紙部材保有本塵取り具の場合、重合シート部分の上面と下面のうち、剥離面を有する上面を覆う、第１の表紙部材に対して回動自在な板状又はシート状の第２の表紙部材をさらに備えてなるものであってもよい。
重合シート部は上述の如くそれを構成するシートの粘着面が露出した面（下面）を有すると共に、重合シート部を構成するシートの剥離面が露出した面（上面）も有する。この粘着面が露出した面（下面）を板状又はシート状の第１の表紙部材によって覆うと共に、剥離面が露出した面（上面）を板状又はシート状の第２の表紙部材によって覆うようにすれば、重合シート部を第１の表紙部材と第２の表紙部材との間に保持しうまく保護することができるので好ましい。板状又はシート状のこの第２の表紙部材は、第１の表紙部材に対して回動自在にすれば、重合シート部からシートを剥離する際には第２の表紙部材を第１の表紙部材に対して回動させ剥離面が露出した面（上面）を露出させ剥離し、その後、第２の表紙部材を第１の表紙部材に対して回動させ剥離面が露出した面（上面）を覆うようにすることができ、第２の表紙部材の紛失を防止しつつ、剥離面が露出した面（上面）を覆ったり露出したりを円滑かつ迅速に行うことができる。
【図面の簡単な説明】
【００１８】
【図１】第１実施形態の本発明の塵取り具（本塵取り具）を示す斜視図である。
【図２】第１実施形態の本塵取り具の分解図である。
【図３】第１実施形態の本塵取り具を構成するシートの主表面を示す図である。
【図４】図３（ｂ）のＡ−Ａ断面図である。
【図５】図３（ｂ）のＢ−Ｂ断面図である。
【図６】第１実施形態の本塵取り具の使用方法を示す図である。
【図７】第２実施形態の本塵取り具を構成するシートを示す図である。
【図８】第３実施形態の本塵取り具を構成する重合シート部を示す図である。
【図９】第４実施形態の本塵取り具を構成する重合シート部を示す図である。
【発明を実施するための形態】
【００１９】
以下、本発明の実施の形態を図面を参照して説明する。しかしながら、これらによって本発明は何ら制限されるものではない。
【００２０】
（第１実施形態）
図１は、第１実施形態の本発明の塵取り具（本塵取り具）１１を示す斜視図であり、図２は第１実施形態の本塵取り具１１の分解図であり、図３はシート２３の主表面を示す図（具体的には、図３（ａ）は後述の他主表面２５側からシート２３を見たところを示し、図３（ｂ）は後述の一主表面２４側からシート２３を見たところを示している。）であり、図４は図３（ｂ）のＡ−Ａ断面図であり、そして図５は図３（ｂ）のＢ−Ｂ断面図である。図１乃至図５を参照して、本塵取り具１１について説明する。
本塵取り具１１は、大まかには、複数のシート２３を重合し積層させて形成した重合シート部２１と、重合シート部２１を挟持する表紙３１と、を備えてなる。
【００２１】
重合シート部２１は、いずれも同形状及び同寸法の同じシート２３が重合され積層されることで直四角柱形状（直方体）に略形成されている。
シート２３は、両主表面が長方形の柔軟な薄い紙によって形成されたシート本体２３ａと、シート本体２３ａの一主表面の一部に形成された粘着層２３ｂと、を有してなり（特に、図４及び図５参照）、一主表面２４及び他主表面２５の両主表面２４、２５を有している。
シート２３の一主表面２４は、粘着層２３ｂの表面である粘着面２４ａと、シート本体２３ａの該一主表面のうち粘着層２３ｂが形成されていない部分（シート本体２３ａの該一主表面のうち粘着層２３ｂが形成された該一部以外の残部）である非粘着面２４ｂと、を含んでなる。シート２３の一主表面２４の外縁２４ｆに存する異なる２点（図３（ｂ）であれば、該２点の例として点Ｐ１、点Ｐ２を示した。）を結ぶ一主表面２４を横切る線分Ｌ（図３（ｂ）中では点線で示した）と、２点Ｐ１、Ｐ２の間に存する該外縁２４ｆの部分２４ｆａと、で囲まれた一主表面２４の部分（図３（ｂ）中では直角三角形）の全部を非粘着面２４ｂが含む。また、２点Ｐ１、Ｐ２の間に存する該外縁２４ｆの部分２４ｆａが角部Ｇを有する。
シート２３の他主表面２５は、シート本体２３ａの他主表面（シート本体２３ａの両主表面のうち粘着層２３ｂが形成された面とは反対の面）によって形成されており、シート本体２３ａの該他主表面は粘着面２４ａと当接しても剥離が容易になるように剥離剤によってコーティング（コーティング層は不図示）されることでシート２３の他主表面２５は剥離面を形成している。
このようなシート２３が、図２に示すように複数枚重合積層されて重合シート部２１が形成されており、重合シート部２１においては、互いに隣接する（上下に重なった）異なる２のシート２３のうち一方のシート２３の粘着面２４ａと他方のシート２３の剥離面たる他主表面２５とが密接するように重合されることで、粘着面２４ａと他主表面２５との間の粘着力により互いに隣接する（上下に重なった）異なる２のシート２３が互いに固定され重合シート部２１が形成されている。また、複数枚のシート２３は、互いに隣接する（上下に重なった）シートの密接する主表面２４、２５が丁度重なるように重合され積層されている。
【００２２】
表紙３１は、ここでは主表面が長方形の厚紙を、該長方形の短辺３３に平行な２本の折り曲げ線３５ａ、３５ｂに沿って同方向に折り曲げられて形成されている。表紙３１は、これら２本の折り曲げ線３５ａ、３５ｂによって第１表紙部分３１ａ、第２表紙部分３１ｃ、第１表紙部分３１ａと第２表紙部分３１ｃとを連結する連結部分３１ｂに分けられ、ここでは第１表紙部分３１ａの幅Ｗ１と第２表紙部分３１ｃの幅Ｗ２とは略等しくされている（図２参照。Ｗ１＝Ｗ２）。
第１表紙部分３１ａに対して連結部分３１ｂは折り曲げ線３５ｂを中心に回動自在になっていると共に、連結部分３１ｂに対して第２表紙部分３１ｃは折り曲げ線３５ａを中心に回動自在になっている。
第１表紙部分３１ａはシート２３の一主表面２４と略相似形でやや大きく形成されると共に、第２表紙部分３１ｃはシート２３の他主表面２５と略相似形でやや大きく形成されており、そして連結部分３１ｂの幅Ｗ３は、想定される（新品時の）重合シート部２１の高さＨ（図１）よりもやや大きくされている。
このような表紙３１は、重合シート部２１を形成するシート２３の粘着面２４ａ（重合シート部２１の下面）が第１表紙部分３１ａに粘着することで重合シート部２１に取り付けられている（特に、図１及び図２参照）。そして、表紙３１は、２本の折り曲げ線３５ａ、３５ｂに沿って同方向に折り曲げることで、第２表紙部分３１ｃは、重合シート部２１を形成するシート２３の他主表面２５（重合シート部２１の上面）を覆うと共に、連結部分３１ｂは重合シート部２１の一側面を覆う。
【００２３】
本塵取り具１１の使用方法について簡単に説明する。
本塵取り具１１は、保管したり携帯する際には、上述の如く、第２表紙部分３１ｃが重合シート部２１を形成するシート２３の他主表面２５（重合シート部２１の上面）を覆うと共に、連結部分３１ｂが重合シート部２１の一側面を覆った状態とされているので、かかる状態からの使用方法を説明する。
第１に、第２表紙部分３１ｃを指（不図示）で摘み、第１表紙部分３１ａに対して連結部分３１ｂ及び第２表紙部分３１ｃを２本の折り曲げ線３５ａ、３５ｂを中心に回動させ、重合シート部２１を形成するシート２３の他主表面２５（重合シート部２１の上面）を露出させる（図６の状態）。
第２に、図６に示すように、重合シート部２１を形成する最上部のシート２３を指２０１で摘み、重合シート部２１から最上部のシート２３を剥離する。このとき図１に示すように、最上部のシート２３の他主表面２５の裏面である一主表面２４の角部には非粘着面２４ｂが形成されているので、図６のように最上部のシート２３の非粘着面２４ｂ部分を容易に指２０１で摘んで重合シート部２１から最上部のシート２３を剥離することができる（これにより指２０１に粘着面２４ａが粘着することも防止できる。）。
第３に、重合シート部２１から剥離した最上部のシート２３の一主表面２４に形成された粘着面２４ａを、塵（例えば、糸屑、毛髪、動物の毛等のような不要物）が付着した塵付着物（例えば、衣服や絨毯等）に当接させ（塵及び塵付着物のいずれも図示せず）、塵を粘着面２４ａに粘着させ除去する。粘着面２４ａが塵を粘着し除去するための粘着力を失った場合には、そのシート２３を廃棄し、新しいシート２３を重合シート部２１から剥離し使用すればよい。
第４に、本塵取り具１１の使用が終了した際には、第１表紙部分３１ａに対して連結部分３１ｂ及び第２表紙部分３１ｃを２本の折り曲げ線３５ａ、３５ｂを中心に回動させ、第２表紙部分３１ｃが重合シート部２１を形成するシート２３の他主表面２５（重合シート部２１の上面）を覆い、連結部分３１ｂが重合シート部２１の一側面を覆った状態で本塵取り具１１を再び保管や携帯すればよい。
【００２４】
以上説明した通り、本塵取り具１１は、少なくとも一部が粘着面２４ａを形成する一主表面２４と、少なくとも一部（ここでは全部）が剥離面を形成する他主表面２５と、の両主表面２４、２５を有する複数のシート２３が、互いに隣接する異なる２のシート２３のうち一方のシート２３の粘着面２４ａと他方のシート２３の剥離面たる他主表面２５とが密接するように重合された重合シート部２１を備えてなる塵取り具である。
本塵取り具１１においては、前記一方のシート２３の前記一主表面２４と、前記他方のシート２３の前記他主表面２５と、のうち少なくとも一面（ここでは前記一方のシート２３の前記一主表面２４）が、粘着面２４ａによって他面（ここでは前記他方のシート２３の前記他主表面２５）と粘着されていない非粘着面部分たる非粘着面２４ｂを有するものである。
本塵取り具１１においては、前記一方のシート２３の前記一主表面２４が粘着面２４ａと非粘着面２４ｂとを有し、非粘着面２４ｂが非粘着面部分を形成するものである。
そして、本塵取り具１１においては、前記少なくとも一面（ここでは前記一方のシート２３の前記一主表面２４）の外縁２４ｆに存する異なる２点（図３（ｂ）であれば、例えば、点Ｐ１、点Ｐ２）を結ぶ前記少なくとも一面（前記一方のシート２３の前記一主表面２４）を横切る線分Ｌと、該２点（例えば、点Ｐ１、点Ｐ２）の間に存する該外縁２４ｆの部分２４ｆａと、で囲まれた前記少なくとも一面（前記一方のシート２３の前記一主表面２４）の部分（図３（ｂ）中では直角三角形）の全部を非粘着面部分たる非粘着面２４ｂが含むものである。
加えて、本塵取り具１１においては、前記２点（図３（ｂ）であれば、例えば、点Ｐ１、点Ｐ２）の間に存する前記外縁２４ｆの部分２４ｆａが角部Ｇを有するものである。
本塵取り具１１においては、重合シート部２１を構成する複数のシート２３が略同一形状かつ略同一寸法であり（ここでは複数のシート２３のいずれも同じものを用いている。）、直柱体（ここでは直四角柱）を重合シート部２１が略形成するものである。
本塵取り具１１は、重合シート部２１の上面と下面のうち、粘着面２４ａを有する下面を覆う板状又はシート状（ここでは板状の厚紙）の第１の表紙部材たる第１表紙部分３１ａをさらに備えてなる。
さらに、本塵取り具１１は、重合シート部２１の上面と下面のうち、剥離面たる他主表面２５を有する上面を覆う、第１の表紙部材たる第１表紙部分３１ａに対して回動自在な板状又はシート状（ここでは板状の厚紙）の第２の表紙部材たる第２表紙部分３１ｃをさらに備えてなる。また第１の表紙部材たる第１表紙部分３１ａと第２の表紙部材たる第２表紙部分３１ｃとは一体に形成されている。
【００２５】
（第２実施形態）
図７は、第２実施形態の本発明の塵取り具（本塵取り具）を構成するシート４３を示す図（第１実施形態における図３と同様の図）である。第２実施形態の本塵取り具（不図示）は、第１実施形態の本塵取り具１１のシート２３がシート４３に替わるのみで、その余については第１実施形態の本塵取り具１１と同様である。このため第２実施形態の本塵取り具（不図示）についてはシート４３について説明し、第１実施形態の本塵取り具１１と同様の説明は省略する。
【００２６】
シート４３は、両主表面が長方形の柔軟な薄い紙によって形成されたシート本体４３ａと、シート本体４３ａの一主表面の全部に形成された粘着層（不図示）と、シート本体４３ａの他主表面に取り付け（接着）られた別体の短冊状のシート把持部４３ｂ（薄い紙製）と、を有してなり、シート４３は、一主表面４４及び他主表面４５の両主表面４４、４５を有している。
シート４３の一主表面４４は、シート本体４３ａの該一主表面の全部に形成された該粘着層の表面である粘着面４４ａと、シート把持部４３ｂの主表面である非粘着面４４ｂと、を含んでなる。シート４３の一主表面４４の外縁４４ｆに存する異なる２点（図７（ｂ）であれば、該２点の例として点Ｐ１、点Ｐ２を示した。）を結ぶ一主表面４４を横切る線分Ｌ（図７（ｂ）中では点線で示した）と、２点Ｐ１、Ｐ２の間に存する該外縁４４ｆの部分４４ｆａと、で囲まれた一主表面４４の部分（図７（ｂ）中では長方形）の全部を非粘着面４４ｂが含む。また、２点Ｐ１、Ｐ２の間に存する該外縁４４ｆの部分４４ｆａが角部Ｇ１、Ｇ２を有する。
シート４３の他主表面４５は、シート本体４３ａの他主表面４５ａ（シート本体４３ａの両主表面のうち粘着層が形成された面とは反対の面）と、シート把持部４３ｂの主表面４５ｂと、を含んでなる。シート本体４３ａの他主表面４５ａとシート把持部４３ｂの主表面４５ｂとは、粘着面４４ａと当接しても剥離が容易になるように剥離剤によってコーティング（コーティング層は不図示）されることでシート４３の他主表面４５は剥離面を形成している。
このようなシート４３が、第１実施形態の本塵取り具１１の重合シート部２１と同様に、複数枚重合積層されて重合シート部（不図示）が形成され、重合シート部においては、互いに隣接する（上下に重なった）異なる２のシート４３のうち一方のシート４３の粘着面４４ａと他方のシート４３の剥離面たる他主表面４５とが密接するように重合されることで、粘着面４４ａと他主表面４５との間の粘着力により互いに隣接する（上下に重なった）異なる２のシート４３が互いに固定され重合シート部が形成される。また、複数枚のシート４３は、互いに隣接する（上下に重なった）シートの密接する主表面４４、４５が丁度重なるように重合され積層される。
【００２７】
このようなシート４３が複数枚重合積層されて形成される重合シート部は、第１実施形態の本塵取り具１１の重合シート部２１と同様、重合シート部を形成する最上部のシート４３を指で摘み、重合シート部から最上部のシート４３を剥離することができる。このときシート４３は、突出した舌状のシート把持部４３ｂを有しているので、シート把持部４３ｂを容易に指で摘んで重合シート部から最上部のシート４３を剥離することができる（これにより指に粘着面４４ａが粘着することも防止できる。）。
そして、第１実施形態のシート２３と同様、重合シート部から剥離した最上部のシート４３の一主表面４４に形成された粘着面４４ａを、塵（例えば、糸屑、毛髪、動物の毛等のような不要物）が付着した塵付着物（例えば、衣服や絨毯等）に当接させ（塵及び塵付着物のいずれも図示せず）、塵を粘着面４４ａに粘着させ除去する。粘着面４４ａが塵を粘着し除去するための粘着力を失った場合には、そのシート４３を廃棄し、新しいシート４３を重合シート部から剥離し使用すればよい。
【００２８】
以上説明の通り、シート４３が複数枚重合積層されて形成される重合シート部を備える第２実施形態の本塵取り具は、少なくとも一部が粘着面４４ａを形成する一主表面４４と、少なくとも一部（ここでは全部）が剥離面を形成する他主表面４５と、の両主表面４４、４５を有する複数のシート４３が、互いに隣接する異なる２のシート４３のうち一方のシート４３の粘着面４４ａと他方のシート４３の剥離面たる他主表面４５とが密接するように重合された重合シート部を備えてなる塵取り具である。
第２実施形態の本塵取り具においては、前記一方のシート４３の前記一主表面４４と、前記他方のシート４３の前記他主表面４５と、のうち少なくとも一面（ここでは前記一方のシート４３の前記一主表面４４）が、粘着面４４ａによって他面（前記他方のシート４３の前記他主表面４５）と粘着されていない非粘着面部分たる非粘着面４４ｂを有するものである。
第２実施形態の本塵取り具においては、前記一方のシート４３の前記一主表面４４が粘着面４４ａと非粘着面４４ｂとを有し、非粘着面４４ｂが非粘着面部分を形成するものである。
第２実施形態の本塵取り具においては、前記一方のシート４３が、粘着面４４ａを有するシート本体部（ここではシート本体４３ａと、シート本体４３ａの一主表面の全部に形成された前記粘着層と、を含んで構成される。）と、シート本体部（シート本体４３ａとその一主表面の全部に形成された粘着層）に取り付けられ非粘着面４４ｂを有する別体のシート把持部４３ｂと、を有してなる。
そして、第２実施形態の本塵取り具においては、前記少なくとも一面（ここでは前記一方のシート４３の前記一主表面４４）の外縁４４ｆに存する異なる２点（図７（ｂ）であれば、例えば、点Ｐ１、点Ｐ２）を結ぶ前記少なくとも一面（前記一方のシート４３の前記一主表面４４）を横切る線分Ｌと、該２点（図７（ｂ）であれば、例えば、点Ｐ１、点Ｐ２）の間に存する該外縁４４ｆの部分４４ｆａと、で囲まれた前記少なくとも一面（前記一方のシート４３の前記一主表面４４）の部分の全部を非粘着面部分たる非粘着面４４ｂが含むものである。
加えて、第２実施形態の本塵取り具においては、前記２点（図７（ｂ）であれば、例えば、点Ｐ１、点Ｐ２）の間に存する前記外縁４４ｆの部分４４ｆａが角部Ｇ１、Ｇ２を有するものである。
また、第２実施形態の本塵取り具においては、重合シート部を構成する複数のシート４３が略同一形状かつ略同一寸法（シート４３は同じものを用いる）であり、直柱体を重合シート部が略形成するものである。
なお、ここでは図示していないが、第２実施形態の本塵取り具は、第１実施形態の本塵取り具１１と同様に表紙３１を備えることができ（その場合には、シート把持部４３ｂが表紙３１に当接しない方向（例えば連結部分３１ｂとは反対方向）に突出するのが好ましい。）、かかる場合には、第２実施形態の本塵取り具は、重合シート部の上面と下面のうち、粘着面４４ａを有する下面を覆う板状又はシート状（ここでは板状の厚紙）の第１の表紙部材たる第１表紙部分３１ａをさらに備え、加えて、重合シート部の上面と下面のうち、剥離面たる他主表面４５を有する上面を覆う、第１の表紙部材たる第１表紙部分３１ａに対して回動自在な板状又はシート状（ここでは板状の厚紙）の第２の表紙部材たる第２表紙部分３１ｃをさらに備える（なお、第１の表紙部材たる第１表紙部分３１ａと第２の表紙部材たる第２表紙部分３１ｃとは一体に形成されてもよい。）。
【００２９】
（第３実施形態）
図８（ａ）は、第３実施形態の本発明の塵取り具（本塵取り具）を構成する重合シート部６１を示す斜視図である。第３実施形態の本塵取り具（不図示）は、第１実施形態の本塵取り具１１の重合シート部２１が重合シート部６１に替わるのみで、その余については第１実施形態の本塵取り具１１と同様である。このため第３実施形態の本塵取り具（不図示）については重合シート部６１について説明し、第１実施形態の本塵取り具１１と同様の説明は省略する。
重合シート部６１は、幅Ｋが等しく長さＭが異なる複数のシート６３が重合積層されることで構成されている。複数のシート６３はいずれも一主表面６４（図８（ａ）においては各シート６３の下面）と他主表面６５（図８（ａ）においては各シート６３の上面）との両主表面６４、６５（両主表面６４、６５とも略長方形）を有し、一主表面６４の全面に粘着面が形成されると共に、他主表面６５の全面に剥離面（粘着面と当接しても剥離が容易になるように剥離剤によってコーティングされている）が形成されている。重合シート部６１は、図８（ａ）中にて上から下にゆくにつれて、長さＭが次第に大きくなるように複数のシート６３が重合されており（複数のシート６３の一端（図８（ａ）中、左端）側は揃えられているので、他端（図８（ａ）中、右端）側に下方のシート６３の他主表面６５が露出している。）、重合シート部においては、互いに隣接する（上下に重なった）異なる２のシート６３のうち一方のシート６３の粘着面たる一主表面６４と他方のシート６３の剥離面たる他主表面６５とが密接するように重合されることで、粘着面と剥離面との間の粘着力により互いに隣接する（上下に重なった）異なる２のシート６３が互いに固定され重合シート部が形成されている。なお、複数のシート６３の長さＭに平行な縁部は揃えられているので、図８（ａ）中の右端側に階段状に露出した他主表面６５部分を除き、複数のシート６３の主表面６４、６５に対して略垂直な３の側面を重合シート部６１は有している。
また、図８（ｂ）（図８（ａ）中の上方、矢印Ｎ方向から見たところ）に示すように、シート６３の他主表面６５の外縁６５ｆに存する異なる２点（図８（ｂ）であれば、該２点の例として点Ｐ１、点Ｐ２を示した。）を結ぶ他主表面６５を横切る線分Ｌ（図８（ｂ）中では点線で示した）と、２点Ｐ１、Ｐ２の間に存する該外縁６５ｆの部分６５ｆａと、で囲まれた他主表面６５の部分（図８（ｂ）中では長方形）の全部を剥離面たる他主表面６５が含む。また、２点Ｐ１、Ｐ２の間に存する該外縁６５ｆの部分６５ｆａが角部Ｇ１、Ｇ２を有する。
【００３０】
このようなシート６３が複数枚重合積層されて形成された重合シート部６１は、重合シート部６１を形成する最上部のシート６３を指で摘み、重合シート部６１から最上部のシート６３を剥離することができる。このとき最上部のシート６３は、その直下のシート６３が有する露出した他主表面６５に指をかけて重合シート部６１から最上部のシート６３を剥離することができる。
そして、第１実施形態のシート２３と同様、重合シート部６１から剥離した最上部のシート６３の一主表面６４に形成された粘着面を、塵（例えば、糸屑、毛髪、動物の毛等のような不要物）が付着した塵付着物（例えば、衣服や絨毯等）に当接させ（塵及び塵付着物のいずれも図示せず）、塵を粘着面に粘着させ除去することができる。粘着面が塵を粘着し除去するための粘着力を失った場合には、そのシート６３を廃棄し、新しいシート６３を重合シート部６１から剥離し使用すればよい。
【００３１】
以上説明した重合シート部６１を備える第３実施形態の本塵取り具は、少なくとも一部（ここでは全部）が粘着面を形成する一主表面６４と、少なくとも一部（ここでは全部）が剥離面を形成する他主表面６５と、の両主表面６４、６５を有する複数のシート６３が、互いに隣接する異なる２のシート６３のうち一方のシート６３の粘着面（一主表面６４）と他方のシート６３の剥離面（他主表面６５）とが密接するように重合された重合シート部６１を備えてなる塵取り具である。
第３実施形態の本塵取り具においては、前記一方のシート６３の前記一主表面６４と、前記他方のシート６３の前記他主表面６５と、のうち少なくとも一面（ここでは前記他方のシート６３の前記他主表面６５）が、粘着面（一主表面６４）によって他面（ここでは前記一方のシート６３の前記一主表面６４）と粘着されていない非粘着面部分（図８（ａ）では右端に露出している他主表面６５）を有するものである。
第３実施形態の本塵取り具においては、前記一方のシート６３の前記一主表面６４によって覆われない部分（図８（ａ）では右端に露出している他主表面６５）を前記他方のシート６３の前記他主表面６５が有しており、該覆われない部分（露出している他主表面６５）が非粘着面部分を形成するものである。
第３実施形態の本塵取り具においては、前記少なくとも一面（ここでは前記他方のシート６３の前記他主表面６５）の外縁６５ｆに存する異なる２点（図８（ｂ）であれば、例えば、点Ｐ１、点Ｐ２）を結ぶ前記少なくとも一面（前記他方のシート６３の前記他主表面６５）を横切る線分Ｌと、該２点（図８（ｂ）であれば、例えば、点Ｐ１、点Ｐ２）の間に存する該外縁６５ｆの部分６５ｆａと、で囲まれた前記少なくとも一面（前記他方のシート６３の前記他主表面６５）の部分の全部を非粘着面部分（露出している他主表面６５）が含むものである。
加えて、第３実施形態の本塵取り具においては、前記２点（図８（ｂ）であれば、例えば、点Ｐ１、点Ｐ２）の間に存する前記外縁６５ｆの部分６５ｆａが角部Ｇ１、Ｇ２を有するものである。
なお、ここでは図示していないが、第３実施形態の本塵取り具は、第１実施形態の本塵取り具１１と同様に表紙３１を備えることができ、かかる場合には、第３実施形態の本塵取り具は、重合シート部６１の上面と下面のうち、粘着面（一主表面６４）を有する下面を覆う板状又はシート状（ここでは板状の厚紙）の第１の表紙部材たる第１表紙部分３１ａをさらに備え、加えて、重合シート部６１の上面と下面のうち、剥離面（他主表面６５）を有する上面を覆う、第１の表紙部材たる第１表紙部分３１ａに対して回動自在な板状又はシート状（ここでは板状の厚紙）の第２の表紙部材たる第２表紙部分３１ｃをさらに備える（なお、第１の表紙部材たる第１表紙部分３１ａと第２の表紙部材たる第２表紙部分３１ｃとは一体に形成されてもよい。）。
【００３２】
（第４実施形態）
図９（ａ）は、第４実施形態の本発明の塵取り具（本塵取り具）を構成する重合シート部７１を示す斜視図である。第４実施形態の本塵取り具（不図示）は、第１実施形態の本塵取り具１１の重合シート部２１が重合シート部７１に替わるのみで、その余については第１実施形態の本塵取り具１１と同様である。このため第４実施形態の本塵取り具（不図示）については重合シート部７１について説明し、第１実施形態の本塵取り具１１と同様の説明は省略する。
重合シート部７１は、同寸法で同形状の複数の同じシート７３が重合積層されることで構成されている。複数のシート７３はいずれも一主表面７４（図９（ａ）においては各シート７３の下面）と他主表面７５（図９（ａ）においては各シート７３の上面）との両主表面７４、７５（両主表面７４、７５とも同じ略長方形状をなす）を有し、一主表面７４の全面に粘着面が形成されると共に、他主表面７５の全面に剥離面（粘着面と当接しても剥離が容易になるように剥離剤によってコーティングされている）が形成されている。
そして、シート７３には、一主表面７４が形成する長方形の角部Ｊを含む直角三角形の斜辺に沿ってミシン目Ｑが入れられている。このミシン目Ｑは、途切れ途切れの複数の穴（両主表面７４、７５の間を貫通している）により形成されており、ミシン目Ｑはシート７３の他の部分に比して強度が弱く、ミシン目Ｑに沿ってシート７３を容易に切断することができる。
【００３３】
このようなシート７３が複数枚重合積層されて形成された重合シート部７１を備える第４実施形態の本塵取り具（不図示）の使用方法について説明する。
第１に、重合シート部７１を形成する最上部のシート７３のミシン目Ｑに沿って力を加え、図９（ｂ）に示すようにミシン目Ｑに沿ってシート７３を切断する。これによりミシン目Ｑ（切り取り線）に沿ってシート７３の部分７３ｐを切り取ることにより、切り取った部分７３ｐが面していた直下のシート７３の他主表面７５の部分７５ｂが露出する。これにより第３実施形態の重合シート部６１と同様、最上部のシート７３は、その直下のシート７３が有する露出した他主表面７５ｂに指をかけて図９（ｃ）の如く重合シート部７１から最上部のシート７３を剥離することができる。
そして、第１実施形態のシート２３と同様、重合シート部７１から剥離した最上部のシート７３の一主表面７４に形成された粘着面を、塵（例えば、糸屑、毛髪、動物の毛等のような不要物）が付着した塵付着物（例えば、衣服や絨毯等）に当接させ（塵及び塵付着物のいずれも図示せず）、塵を粘着面に粘着させ除去する。粘着面が塵を粘着し除去するための粘着力を失った場合には、そのシート７３を廃棄し、上記と同様に新しいシート７３を重合シート部７１から剥離し使用すればよい。
【００３４】
以上説明のように、重合シート部７１を備える第４実施形態の本塵取り具は、少なくとも一部（ここでは全部）が粘着面を形成する一主表面７４と、少なくとも一部（ここでは全部）が剥離面を形成する他主表面７５と、の両主表面７４、７５を有する複数のシート７３が、互いに隣接する異なる２のシート７３のうち一方のシート７３の粘着面（一主表面７４）と他方のシート７３の剥離面（他主表面７５）とが密接するように重合された重合シート部７１を備えてなる塵取り具である。
第４実施形態の本塵取り具においては、前記一方のシート７３が、前記一主表面７４の外縁に存する異なる２点（図９（ａ）中、点Ｓ１、点Ｓ２）を結ぶ前記一主表面７４に存する曲線又は直線（ここでは直線）に沿って形成された切り取り線たるミシン目Ｑを有し（ミシン目Ｑは両主表面７４、７５の間を貫通する）、切り取り線たるミシン目Ｑに沿って前記一方のシート７３の部分７３ｐを切り取ることにより、該切り取った部分７３ｐが面していた前記他方のシート７３の前記他主表面７５の部分７５ｂが、粘着面によって他面（一主表面７４）と粘着されていない非粘着面部分を形成するものである。
第４実施形態の本塵取り具においては、切り取り線たるミシン目Ｑに沿って前記一方のシート７３の部分７３ｐを切り取った後は、前記一方のシート７３の前記一主表面７４と、前記他方のシート７３の前記他主表面７５と、のうち少なくとも一面（ここでは前記他方のシート７３の前記他主表面７５）が、粘着面によって他面（一主表面７４）と粘着されていない非粘着面部分を有し、前記少なくとも一面（前記他方のシート７３の前記他主表面７５）の外縁に存する異なる２点（図９（ｂ）においては、例えば、点Ｓ３及び点Ｓ４）を結ぶ前記少なくとも一面（前記他方のシート７３の前記他主表面７５）を横切る線分と、該２点（図９（ｂ）においては、例えば、点Ｓ３及び点Ｓ４）の間に存する該外縁の部分と、で囲まれた前記少なくとも一面（前記他方のシート７３の前記他主表面７５）の部分（ここでは直角三角形状の部分）の全部を非粘着面部分（他主表面７５の部分７５ｂ）が含むものである。なお、前記２点（図９（ｂ）においては、例えば、点Ｓ３及び点Ｓ４）の間に存する前記外縁の部分が角部（該直角三角形の直角をなす角部分）を有するものである。
第４実施形態の本塵取り具においては、重合シート部７１を構成する複数のシート７３が略同一形状かつ略同一寸法であり（シート７３のいずれも同じ物を用いている）、直柱体（ここでは直四角柱、直方体）を重合シート部７１が略形成するものである。
なお、ここでは図示していないが、第４実施形態の本塵取り具は、第１実施形態の本塵取り具１１と同様に表紙３１を備えることができ、かかる場合には、第４実施形態の本塵取り具は、重合シート部７１の上面と下面のうち、粘着面（一主表面７４）を有する下面を覆う板状又はシート状（ここでは板状の厚紙）の第１の表紙部材たる第１表紙部分３１ａをさらに備え、加えて、重合シート部７１の上面と下面のうち、剥離面（他主表面７５）を有する上面を覆う、第１の表紙部材たる第１表紙部分３１ａに対して回動自在な板状又はシート状（ここでは板状の厚紙）の第２の表紙部材たる第２表紙部分３１ｃをさらに備える（なお、第１の表紙部材たる第１表紙部分３１ａと第２の表紙部材たる第２表紙部分３１ｃとは一体に形成されてもよい。）。
【符号の説明】
【００３５】
１１            本塵取り具（第１実施形態）
２１            重合シート部
２３            シート
２３ａ          シート本体
２３ｂ          粘着層
２４            一主表面
２４ａ          粘着面
２４ｂ          非粘着面
２４ｆ          外縁
２４ｆａ        部分
２５            他主表面
３１            表紙
３１ａ          第１表紙部分
３１ｂ          連結部分
３１ｃ          第２表紙部分
３３            短辺
３５ａ、３５ｂ  折り曲げ線
４３            シート（第２実施形態）
４３ａ          シート本体
４３ｂ          シート把持部
４４            一主表面
４４ａ          粘着面
４４ｂ          非粘着面
４４ｆ          外縁
４４ｆａ        部分
４５            他主表面
４５ａ          他主表面
４５ｂ          主表面
６１            重合シート部（第３実施形態）
６３            シート
６４            一主表面
６５            他主表面
６５ｆ          外縁
６５ｆａ        部分
７１            重合シート部（第４実施形態）
７３            シート
７３ｐ          切り取った部分
７４            一主表面
７５            他主表面
７５ｂ          部分
２０１            指
【図１】
2011147465.tif 000003
【図２】
2011147465.tif 000004
【図３】
2011147465.tif 000005
【図４】
2011147465.tif 000006
【図５】
2011147465.tif 000007
【図６】
2011147465.tif 000008
【図７】
2011147465.tif 000009
【図８】
2011147465.tif 000010
【図９】
2011147465.tif 000011